(57)【要約】【課題】受信側での誤り訂正処理の結果に加えて無線伝搬路の伝達関数（周波数特性）の推定結果も利用して、各サブキャリアで使用する変調方式を選択することを図る。【解決手段】誤り訂正後の受信データに対し、誤り訂正符号を付加する誤り訂正符号化部６と、誤り訂正符号が付加された受信データと復調信号を各サブキャリアで比較する比較部７と、各サブキャリアの前記比較結果と伝搬路特性推定値に基づいて、各サブキャリアで使用する変調方式を選択する動作を制御する制御部８とを備える。【選択図】図１
2010136306.tif 000002
【特許請求の範囲】
【請求項１】
各々多値数の異なる複数の所定の変調方式のうちから各サブキャリアで使用する変調方式を適応的に選択すると共に、各サブキャリアで誤り訂正符号を用いた誤り訂正を行うＯＦＤＭ方式の無線通信システムにおける受信機において、
無線受信したＯＦＤＭ信号に対し、ＯＦＤＭ方式の受信処理を行うＯＦＤＭ受信部と、
ＯＦＤＭ受信信号に含まれる各サブキャリアの既知信号を用いて、無線伝搬路の周波数特性の推定値である伝搬路特性推定値を生成する伝搬路特性推定部と、
ＯＦＤＭ受信信号と伝搬路特性推定値を用いて、各サブキャリアの復調処理を行う復調部と、
各サブキャリアの復調信号に対し、誤り訂正処理を行う誤り訂正部と、
誤り訂正後の受信データに対し、誤り訂正符号を付加する誤り訂正符号化部と、
誤り訂正符号が付加された受信データと復調信号を各サブキャリアで比較する比較部と、
各サブキャリアの前記比較結果と伝搬路特性推定値に基づいて、各サブキャリアで使用する変調方式を選択する動作を制御する制御部と、
を備えたことを特徴とする受信機。
【請求項２】
前記制御部は、
前記比較結果に基づいて無線伝搬路の伝送状況が劣化したかを判定する手段と、
伝搬路特性推定値に基づいて無線伝搬路の伝送状況が良化したかを判定する手段と、
を有することを特徴とする請求項１に記載の受信機。
【請求項３】
伝搬路特性推定値に対し、所定の通信品質を確保できると共に伝送効率の最もよい変調方式を示す閾値データを各サブキャリアで生成する閾値データ生成部と、
前記閾値データを記憶する閾値データ記憶手段と、を備え、
前記制御部は、前記閾値データに基づいて、各サブキャリアで使用する変調方式を指定する、
ことを特徴とする請求項１に記載の受信機。
【請求項４】
前記伝搬路特性推定部が生成した伝搬路特性推定値に対し、不連続となる周波数区間を他の周波数区間に対し連続的になるように補正する手段を備え、
前記制御部は、該補正後の伝搬路特性推定値を使用することを特徴とする請求項１から請求項３のいずれか１項に記載の受信機。
【請求項５】
各々多値数の異なる複数の所定の変調方式のうちから各サブキャリアで使用する変調方式を適応的に選択すると共に、各サブキャリアで誤り訂正符号を用いた誤り訂正を行うＯＦＤＭ方式の無線通信システムにおける適応変調制御方法であって、
誤り訂正後の受信データに対し、誤り訂正符号を付加するステップと、
誤り訂正符号が付加された受信データと復調信号を各サブキャリアで比較するステップと、
各サブキャリアの前記比較結果と伝搬路特性推定値に基づいて、各サブキャリアで使用する変調方式を選択するステップと、
を含むことを特徴とする適応変調制御方法。
【請求項６】
前記比較結果に基づいて無線伝搬路の伝送状況が劣化したかを判定するステップと、
伝搬路特性推定値に基づいて無線伝搬路の伝送状況が良化したかを判定するステップと、
をさらに含むことを特徴とする請求項５に記載の適応変調制御方法。
【請求項７】
伝搬路特性推定値に対し、所定の通信品質を確保できると共に伝送効率の最もよい変調方式を示す閾値データを各サブキャリアで生成するステップをさらに含むことを特徴とする請求項５に記載の適応変調制御方法。
【請求項８】
不連続となる周波数区間を他の周波数区間に対し連続的になるように補正された伝搬路特性推定値を使用することを特徴とする請求項５から請求項７のいずれか１項に記載の適応変調制御方法。
【発明の詳細な説明】
【技術分野】
【０００１】
本発明は、ＯＦＤＭ方式の無線通信システムにおける受信機及び適応変調制御方法に関する。
【背景技術】
【０００２】
従来、適応変調制御技術として、例えば、特許文献１，２などが知られている。特許文献１に記載の技術では、受信側での誤り訂正（Forward Error Correction：ＦＥＣ）符号を用いた誤り訂正処理で検出したビット誤り率（Bit Error Rate：ＢＥＲ）に基づいて、送信側で使用する変調方式を選択している。特許文献２に記載の技術では、受信側での誤り訂正処理におけるビタビ復号のパスメトリック値を用いて伝送状況を推定し、送信側で使用する変調方式を選択している。
【０００３】
また、非特許文献１には、マルチキャリア（多重搬送波）伝送方式の一つである直交周波数分割多重（Orthogonal Frequency Division Multiplexing：ＯＦＤＭ）方式の無線通信システムにおいて、ＯＦＤＭ信号中のプリアンブルを利用して無線伝搬路の伝達関数（周波数特性）を推定する技術が開示されている。
【特許文献１】特開平９−２００２８２号公報
【特許文献２】特開２００２−１９９０３３号公報
【非特許文献１】藤本貴、樫木勘四郎、野原光夫、竹内和則、松村隆司，“ソフトウェア無線による伝搬状態モニタ装置の基本特性について”，電子情報通信学会，信学技報，vol.107，no.352，SR2007-60，pp.93-98，２００７年１１月
【発明の開示】
【発明が解決しようとする課題】
【０００４】
しかし、上述した従来の適応変調制御技術では、受信側での誤り訂正処理の結果に基づいて送信側で使用する変調方式を選択するが、無線伝搬路の伝送状況が一旦劣化した後に良化するときの変調方式を適切かつ迅速に選択することが難しいという問題がある。また、広帯域のＯＦＤＭ方式の無線通信システムでは、サブキャリア毎に、無線伝搬路の伝送状況が異なる可能性がある。
【０００５】
本発明は、このような事情を考慮してなされたもので、その目的は、受信側での誤り訂正処理の結果に加えて無線伝搬路の伝達関数（周波数特性）の推定結果も利用して、各サブキャリアで使用する変調方式を選択することのできるＯＦＤＭ方式の無線通信システムを提供することにある。
【課題を解決するための手段】
【０００６】
上記の課題を解決するために、本発明に係る受信機は、各々多値数の異なる複数の所定の変調方式のうちから各サブキャリアで使用する変調方式を適応的に選択すると共に、各サブキャリアで誤り訂正符号を用いた誤り訂正を行うＯＦＤＭ方式の無線通信システムにおける受信機において、無線受信したＯＦＤＭ信号に対し、ＯＦＤＭ方式の受信処理を行うＯＦＤＭ受信部と、ＯＦＤＭ受信信号に含まれる各サブキャリアの既知信号を用いて、無線伝搬路の周波数特性の推定値である伝搬路特性推定値を生成する伝搬路特性推定部と、ＯＦＤＭ受信信号と伝搬路特性推定値を用いて、各サブキャリアの復調処理を行う復調部と、各サブキャリアの復調信号に対し、誤り訂正処理を行う誤り訂正部と、誤り訂正後の受信データに対し、誤り訂正符号を付加する誤り訂正符号化部と、誤り訂正符号が付加された受信データと復調信号を各サブキャリアで比較する比較部と、各サブキャリアの前記比較結果と伝搬路特性推定値に基づいて、各サブキャリアで使用する変調方式を選択する動作を制御する制御部と、を備えたことを特徴とする。
【０００７】
本発明に係る受信機においては、前記制御部は、前記比較結果に基づいて無線伝搬路の伝送状況が劣化したかを判定する手段と、伝搬路特性推定値に基づいて無線伝搬路の伝送状況が良化したかを判定する手段と、を有することを特徴とする。
【０００８】
本発明に係る受信機においては、伝搬路特性推定値に対し、所定の通信品質を確保できると共に伝送効率の最もよい変調方式を示す閾値データを各サブキャリアで生成する閾値データ生成部と、前記閾値データを記憶する閾値データ記憶手段と、を備え、前記制御部は、前記閾値データに基づいて、各サブキャリアで使用する変調方式を指定することを特徴とする。
【０００９】
本発明に係る受信機においては、前記伝搬路特性推定部が生成した伝搬路特性推定値に対し、不連続となる周波数区間を他の周波数区間に対し連続的になるように補正する手段を備え、前記制御部は、該補正後の伝搬路特性推定値を使用することを特徴とする。
【００１０】
本発明に係る適応変調制御方法は、各々多値数の異なる複数の所定の変調方式のうちから各サブキャリアで使用する変調方式を適応的に選択すると共に、各サブキャリアで誤り訂正符号を用いた誤り訂正を行うＯＦＤＭ方式の無線通信システムにおける適応変調制御方法であって、誤り訂正後の受信データに対し、誤り訂正符号を付加するステップと、誤り訂正符号が付加された受信データと復調信号を各サブキャリアで比較するステップと、各サブキャリアの前記比較結果と伝搬路特性推定値に基づいて、各サブキャリアで使用する変調方式を選択するステップと、を含むことを特徴とする。
【００１１】
本発明に係る適応変調制御方法においては、前記比較結果に基づいて無線伝搬路の伝送状況が劣化したかを判定するステップと、伝搬路特性推定値に基づいて無線伝搬路の伝送状況が良化したかを判定するステップと、をさらに含むことを特徴とする。
【００１２】
本発明に係る適応変調制御方法においては、伝搬路特性推定値に対し、所定の通信品質を確保できると共に伝送効率の最もよい変調方式を示す閾値データを各サブキャリアで生成するステップをさらに含むことを特徴とする。
【００１３】
本発明に係る適応変調制御方法においては、不連続となる周波数区間を他の周波数区間に対し連続的になるように補正された伝搬路特性推定値を使用することを特徴とする。
【発明の効果】
【００１４】
本発明によれば、受信側での誤り訂正処理の結果に加えて無線伝搬路の伝達関数（周波数特性）の推定結果も利用して、各サブキャリアで使用する変調方式を選択することができるという効果が得られる。
【発明を実施するための最良の形態】
【００１５】
以下、図面を参照し、本発明の実施形態について説明する。
図１，図２は、本発明の一実施形態に係るＯＦＤＭ方式の無線通信システムの構成を示すブロック図であって、図１はＯＦＤＭ受信機１の構成を示し、図２はＯＦＤＭ送信機１０の構成を示している。図３は、ＯＦＤＭ信号のフレーム構成を示す概念図である。ＯＦＤＭ信号は、ＯＦＤＭ送信機１０から無線送信され、ＯＦＤＭ受信機１で無線受信される信号である。
【００１６】
まず、図３を参照してＯＦＤＭ信号を説明する。図３において、ＯＦＤＭ信号１００は、周波数方向と時間方向の各リソースから成るフレームを構成している。ＯＦＤＭ信号１００は、複数のサブチャネル１０１を有する。一サブチャネル１０１は、一サブキャリア又は周波数軸上で連続する複数のサブキャリアに対応して設けられる。サブチャネル１０１において、時間方向の先頭部分にはプリアンブル１０２が配置される。プリアンブル１０２は、ＯＦＤＭ送信機１０及びＯＦＤＭ受信機１の双方に既知の信号である。
【００１７】
次に、図２を参照してＯＦＤＭ送信機１０を説明する。図２において、誤り訂正符号化部１１は、各サブチャネル１０１の送信データに対し、誤り訂正符号を付加する。変調部１２は、誤り訂正符号が付加された各サブチャネル１０１の送信データを用いて、サブチャネル１０１毎に変調信号を生成する。このとき、変調部１２は、ＯＦＤＭ受信機１から送られてきた多値数制御信号に基づいて、各々多値数の異なる複数の所定の変調方式のうちから、サブチャネル１０１毎に使用する変調方式を選択する。多値数制御信号は、サブチャネル１０１毎に、多値数に係る制御情報を有する。各々多値数の異なる複数の所定の変調方式としては、例えば、ＱＰＳＫ（Quadrature Phase Shift Keying、多値数は４）、１６ＱＡＭ（16-ary Quadrature Amplitude Modulation、多値数は１６）、６４ＱＡＭ（64-ary Quadrature Amplitude Modulation、多値数は６４）、２５６ＱＡＭ（256-ary Quadrature Amplitude Modulation、多値数は２５６）などである。ＯＦＤＭ送信部１３は、各サブチャネル１０１の変調信号を用いて生成したＯＦＤＭ信号を無線送信する。
【００１８】
次に、図１を参照してＯＦＤＭ受信機１を説明する。図１において、ＯＦＤＭ受信部２は、ＯＦＤＭ送信機１０から無線送信されたＯＦＤＭ信号を無線受信し、この受信信号に対し、ＯＦＤＭ方式の受信処理を行う。ＯＦＤＭ受信部２は、ＯＦＤＭ方式の受信処理結果として、サブチャネル１０１毎に、受信信号（以下、ＯＦＤＭ受信信号と称する）Ａを出力する。
【００１９】
復調部３は、ＯＦＤＭ送信機１０の変調部１２に対応している。復調部３は、ＯＦＤＭ受信信号Ａと無線伝搬路の伝達関数（周波数特性）の推定値（以下、伝搬路特性推定値と称する）Ｃを用いて、サブチャネル１０１毎に復調処理を行い、各サブチャネル１０１の復調信号Ｂを出力する。このとき、復調部３は、ＯＦＤＭ受信信号Ａに基づいて、サブチャネル１０１毎に、複数の所定の変調方式（ＯＦＤＭ送信機１０の変調部１２と同じもの）のうちから復調に使用する変調方式を選択する。
【００２０】
誤り訂正部４は、各サブチャネル１０１の復調信号Ｂに対して誤り訂正処理を行い、誤り訂正後の各サブチャネル１０１の受信データを出力する。伝搬路特性推定部５は、ＯＦＤＭ受信信号Ａに含まれる各サブチャネル１０１のプリアンブル１０２を用いて、伝搬路特性推定値Ｃを生成する。
【００２１】
誤り訂正符号化部６は、ＯＦＤＭ送信機１０の誤り訂正符号化部１１と同じ構成である。誤り訂正符号化部６は、誤り訂正部４から出力された各サブチャネル１０１の受信データに対し、誤り訂正符号を付加する。この誤り訂正符号が付加された各サブチャネル１０１の受信データ（以下、符号付き受信データと称する）Ｄは、比較部７に送られる。比較部７は、サブチャネル１０１毎に符号付き受信データＤと復調信号Ｂを比較し、各サブチャネル１０１のビット誤り率Ｅを算出する。
【００２２】
制御部８は、伝搬路特性推定値Ｃと各サブチャネル１０１のビット誤り率Ｅを用いて、多値数制御信号を生成する。多値数制御信号には、サブチャネル１０１毎に、多値数に係る制御情報を含める。多値数制御信号は、ＯＦＤＭ送信機１０へ送られる。
【００２３】
以下、本実施形態に係るＯＦＤＭ受信機１の制御部８について実施例を説明する。
【実施例１】
【００２４】
図４は、図１に示す制御部８の実施例１である。
図４において、干渉検出部２１は、伝搬路特性推定値Ｃを用いて電波干渉を検出する。図５は、電波干渉の検出方法を説明するためのグラフ図である。図５において、波形１１０は、伝搬路特性推定値Ｃを各サブキャリアの周波数に対応する受信信号強度の推定値として表した波形例である。ここで、伝搬路特性推定値Ｃは、通常、連続的な波形となるので、波形１１１に例示されるように不連続となる部分は電波干渉の影響によると考えられる。このような知見に基づき、伝搬路特性推定値Ｃにおいて、不連続となる周波数区間を電波干渉の有る周波数区間として検出する。これにより、干渉検出部２１は、伝搬路特性推定値Ｃから不連続となる周波数区間を検出する。干渉検出部２１は、検出した周波数区間を伝搬路特性推定値補正部２２に通知する。
【００２５】
伝搬路特性推定値補正部２２は、伝搬路特性推定値Ｃに対し、干渉検出部２１から通知された周波数区間が他の周波数区間に対し連続的になるように補正する。この補正後の伝搬路特性推定値Ｃ’は、比較部２４へ送られる。
【００２６】
比較部２４は、閾値記憶部２３に記憶されている閾値Ｔｈ１と伝搬路特性推定値Ｃ’を比較する。比較部２４は、伝搬路特性推定値Ｃ’が閾値Ｔｈ１よりも大きい周波数に対応するサブチャネル１０１に関し、変調方式の多値数を増加させるように指示する信号（多値数増加指示信号）を出力する。多値数増加指示信号は、多値数制御部２７に送られる。閾値Ｔｈ１には、変調方式の多値数を増加させてもビット誤り率が許容範囲内に収まるような値を、閾値記憶部２３に設定しておく。
【００２７】
比較部２５は、閾値記憶部２５に記憶されている閾値Ｔｈ２と各サブチャネル１０１のビット誤り率Ｅを比較する。比較部２５は、ビット誤り率Ｅが閾値Ｔｈ２よりも大きい周波数に対応するサブチャネル１０１に関し、変調方式の多値数を減少させるように指示する信号（多値数減少指示信号）を出力する。多値数減少指示信号は、多値数制御部２７に送られる。閾値Ｔｈ２には、変調方式の多値数を減少させないとビット誤り率が許容範囲外になってしまうような値を、閾値記憶部２５に設定しておく。
【００２８】
多値数制御部２７は、多値数増加指示信号と多値数減少指示信号に基づいて、多値数制御信号を出力する。このとき、多値数減少指示信号を優先させる。つまり、多値数増加指示信号または多値数減少指示信号のいずれか一方のみが多値数制御部２７に入力された場合には、該入力信号をそのまま多値数制御信号として出力する。しかし、多値数増加指示信号と多値数減少指示信号の両方が多値数制御部２７に入力された場合には、多値数減少指示信号のみを多値数制御信号として出力する。従って、多値数制御信号は、特定のサブチャネル１０１に対し、多値数の増加または減少のいずれか一方を指示する信号となる。
【００２９】
これにより、ＯＦＤＭ送信機１０の変調部１２は、ＯＦＤＭ受信機１から送られてきた多値数制御信号に基づいて、指定されたサブチャネル１０１に対し、現在使用中の変調方式から、指示された多値数の変更（増加または減少）に従った変調方式へ、使用する変調方式を変更する。例えば、現在使用中の変調方式がＱＰＳＫである場合に、多値数の増加が指示されると、使用する変調方式を１６ＱＡＭに変更する。一方、現在使用中の変調方式が１６ＱＡＭである場合に、多値数の減少が指示されると、使用する変調方式をＱＰＳＫに変更する。
【００３０】
本実施例１によれば、サブチャネル１０１毎に無線伝搬路の伝送状況に応じて変調方式を変更することにより、良好な通信品質の維持（ビット誤り率の許容範囲の維持）と伝送効率の向上（多値数の増加）を図ることができる。さらに、受信側での誤り訂正処理の結果に加えて無線伝搬路の伝達関数（周波数特性）の推定結果も利用して、各サブキャリアで使用する変調方式を選択することができる。
【００３１】
本実施例１では、多値数の減少の判定にビット誤り率を利用している。これは、ビット誤り率の算出時間は伝搬路特性推定値の算出時間に比べて短時間で可能であるので、無線伝搬路の伝送状況が劣化したことを迅速に判定して多値数を減少させることにより良好な通信品質を維持するために、好適であるからである。
【００３２】
一方、本実施例１では、多値数の増加の判定に伝搬路特性推定値を利用している。これは、伝搬路特性推定値の算出には一定の観測時間が必要であり、ビット誤り率の算出時間に比べて長時間となるが、これにより瞬時的な伝送状況の良化が伝搬路特性推定値の上では潜在化されるので、伝送状況が瞬時的に良化されただけで多値数を増加させてしまうことを防止することができるからである。
【００３３】
また、本実施例１によれば、伝搬路特性推定値において電波干渉の影響と思われる不連続となる周波数区間を、他の周波数区間に対し連続的になるように補正することにより、電波干渉の影響を排除することができる。これにより、多値数の変更制御の精度向上を図ることができる。
【００３４】
また、本実施例１では、多値数の増加よりも多値数の減少を優先させることにより、伝送効率よりも通信品質を優先している。なお、通信品質と伝送効率のいずれを優先させるのかは無線通信システムの運用指針等によって決定すればよく、通信品質よりも伝送効率を優先する場合には、多値数の減少よりも多値数の増加を優先させるように構成すればよい。
【実施例２】
【００３５】
図６は、図１に示す制御部８の実施例２である。
図６において、干渉検出部２１及び伝搬路特性推定値補正部２２は、実施例１に係る図４のものと同じである。閾値データ生成部３１は、伝搬路特性推定値補正部２２によって補正された伝搬路特性推定値Ｃ’と各サブチャネル１０１のビット誤り率Ｅを用いて、サブチャネル１０１毎に閾値データＴを生成する。閾値データ記憶部３２は、各サブチャネル１０１の閾値データＴを記憶する。
【００３６】
図７は、一サブチャネル１０１の閾値データＴの概念図である。図７において、横軸は、伝搬路特性推定値Ｃ’を受信信号強度の推定値として表している。縦軸は、ビット誤り率Ｅを表す。ビット誤り率の最低品質（Ｅ０）は予め定めておく。閾値データＴは、伝搬路特性推定値Ｃ’に対応する当該サブチャネル１０１の受信信号強度の推定値に対し、最低品質（Ｅ０）を確保できると共に伝送効率の最もよい変調方式を示す。図７の例では、受信信号強度の推定値が、Ｓ１からＳ２までの範囲ではＱＰＳＫ、Ｓ２からＳ３までの範囲では１６ＱＡＭ、Ｓ３からＳ４までの範囲では６４ＱＡＭ、Ｓ４以上では２５６ＱＡＭ、をそれぞれ指定している。なお、図７の例では、受信信号強度の推定値がＳ１に満たない場合は、どの変調方式によっても最低品質（Ｅ０）を確保できないが、最もビット誤り率のよいＱＰＳＫを指定することとする。
【００３７】
閾値データ生成部３１は、伝搬路特性推定値Ｃ’と各サブチャネル１０１のビット誤り率Ｅを用いて、サブチャネル１０１毎に、各変調方式に係る受信信号強度の推定値とビット誤り率の関係を学習する。閾値データ生成部３１は、該学習によって、閾値データ記憶部３２に記憶される閾値データＴを更新する。
【００３８】
多値数制御部３２は、閾値データ記憶部３２内の各サブチャネル１０１の閾値データＴに従って、サブチャネル１０１毎に、伝搬路特性推定値Ｃ’に対応する変調方式を決定する。多値数制御部３２は、決定した各サブチャネル１０１の変調方式を示す信号（多値数制御信号）を出力する。従って、多値数制御信号は、サブチャネル１０１毎に、変調方式を指定する信号となる。
【００３９】
これにより、ＯＦＤＭ送信機１０の変調部１２は、ＯＦＤＭ受信機１から送られてきた多値数制御信号に基づいて、各サブチャネル１０１の指定された変調方式を使用する。
【００４０】
本実施例２によれば、サブチャネル１０１毎に無線伝搬路の伝送状況に応じて変調方式を変更することにより、良好な通信品質の維持（ビット誤り率の許容範囲の維持）と伝送効率の向上（多値数の増加）を図ることができる。さらに、受信側での誤り訂正処理の結果に加えて無線伝搬路の伝達関数（周波数特性）の推定結果も利用して、各サブキャリアで使用する変調方式を選択することができる。
【００４１】
以上、本発明の実施形態について図面を参照して詳述してきたが、具体的な構成はこの実施形態に限られるものではなく、本発明の要旨を逸脱しない範囲の設計変更等も含まれる。
例えば、上述の実施形態ではサブチャネル毎に適応的に変調方式を選択して使用したが、サブキャリア毎に適応的に変調方式を選択して使用するようにしてもよい。
【００４２】
本発明に係るＯＦＤＭ方式の無線通信システムとしては、例えば、ＷｉＭＡＸ、ＬＴＥ（Long Term Evolution）などに適用可能である。ＯＦＤＭ方式の無線通信システムは、広帯域移動通信において周波数選択性フェージングに対する耐性の強化により周波数利用効率の向上が図られているが、本発明を適用することにより、さらに回線容量の増大と通信の信頼性の向上との両立を図るべく、適応的に変調方式を選択して使用することが可能となる。
【図面の簡単な説明】
【００４３】
【図１】本発明の一実施形態に係るＯＦＤＭ方式の無線通信システムのＯＦＤＭ受信機１の構成を示すブロック図である。
【図２】同実施形態に係るＯＦＤＭ送信機１０の構成を示すブロック図である。
【図３】ＯＦＤＭ信号のフレーム構成を示す概念図である。
【図４】図１に示す制御部８の実施例１である。
【図５】本発明の一実施形態に係る電波干渉の検出方法を説明するためのグラフ図である。
【図６】図１に示す制御部８の実施例２である。
【図７】実施例２に係る閾値データＴの概念図である。
【符号の説明】
【００４４】
１…ＯＦＤＭ受信機、２…ＯＦＤＭ受信部、３…復調部、４…誤り訂正部、５…伝搬路特性推定部、６…誤り訂正符号化部、７，２４，２６…比較部、８…制御部、１０…ＯＦＤＭ送信機、１１…誤り訂正符号化部、１２…変調部、１３…ＯＦＤＭ送信部、２１…干渉検出部、２２…伝搬路特性推定値補正部、２３，２５…閾値記憶部、２７，３３…多値数制御部、３１…閾値データ生成部、３２…閾値データ記憶部
【図１】
2010136306.tif 000003
【図２】
2010136306.tif 000004
【図３】
2010136306.tif 000005
【図４】
2010136306.tif 000006
【図５】
2010136306.tif 000007
【図６】
2010136306.tif 000008
【図７】
2010136306.tif 000009